【手続補正書】
【提出日】平成20年9月4日(2008.9.4)
【手続補正１】
【補正対象書類名】明細書
【補正対象項目名】請求項１
【補正方法】変更
【補正の内容】
【請求項１】  ドラフト装置の出口ローラから進出する繊維束が、フリースガイドとスライバファンネルとを通過し、繊維束の品質が測定可能である、繊維材料を検出するために練条機の出口部に設けられる装置において、
ドラフト装置（１）の出口ローラ（３／Ｉ）の後にまたはスライバファンネル（１０）の入口開口部の前に、繊維材料（１４）用の測定部が設けられ、該測定部に、電子評価装置（１６）（画像処理ユニット）と結合される電子式のカメラ（１５）が割り当てられることを特徴とする装置。
【手続補正２】
【補正対象書類名】明細書
【補正対象項目名】請求項６
【補正方法】変更
【補正の内容】
【請求項６】  自由に移行するフリース（１４）が、出口ローラ（３／Ｉ）とフリースガイド（７）との間で検出されることを特徴とする、請求項１〜５のいずれか１項に記載の装置。
【手続補正３】
【補正対象書類名】明細書
【補正対象項目名】請求項７
【補正方法】変更
【補正の内容】
【請求項７】  前記電子評価装置（１６）が、機械の制御装置（３８）と結合されることを特徴とする、請求項１〜６のいずれか１項に記載の装置。
【手続補正４】
【補正対象書類名】明細書
【補正対象項目名】請求項８
【補正方法】変更
【補正の内容】
【請求項８】  前記電子評価装置（１６）が、上位の電子監視システムと結合されることを特徴とする、請求項１〜７のいずれか１項に記載の装置。
【手続補正５】
【補正対象書類名】明細書
【補正対象項目名】請求項１３
【補正方法】変更
【補正の内容】
【請求項１３】  測定結果が統計的に評価可能であることを特徴とする、請求項１〜１２のいずれか１項に記載の装置。
【手続補正６】
【補正対象書類名】明細書
【補正対象項目名】請求項１４
【補正方法】変更
【補正の内容】
【請求項１４】  フリース（１４）が、前記カメラ（１５）によって光学的に検出可能であり、測定値が電気信号に変換可能であり、また前記電子評価装置（１６）が、フリース（１４）内の単位面積当たりの繊維材料の分布および／またはスライバ（１４）の走行方向（Ａ）を算出できることを特徴とする、請求項１〜１３のいずれか１項に記載の装置。
【手続補正７】
【補正対象書類名】明細書
【補正対象項目名】請求項２０
【補正方法】変更
【補正の内容】
【請求項２０】  前記デジタル画像情報の評価（１６）が、画像分析ソフトウェアによってオンラインで行われることを特徴とする、請求項１〜１９のいずれか１項に記載の装置。
【手続補正８】
【補正対象書類名】明細書
【補正対象項目名】請求項２４
【補正方法】変更
【補正の内容】
【請求項２４】  フリース幅全体（ａ）も同時に撮影するために、前記カメラ（１５）が、フリース（１４）から離れて自動的に移動されることを特徴とする、請求項１〜２３のいずれか１項に記載の装置。
【手続補正９】
【補正対象書類名】明細書
【補正対象項目名】請求項２５
【補正方法】変更
【補正の内容】
【請求項２５】  フリース幅全体（ａ）も同時に撮影するために、前記カメラ（１５）において広角調整が実施されることを特徴とする、請求項１〜２４のいずれか１項に記載の装置。
【手続補正１０】
【補正対象書類名】明細書
【補正対象項目名】請求項３０
【補正方法】変更
【補正の内容】
【請求項３０】  フリースの撮影が、供給速度の場合と、高速および低速運転の場合との少なくとも一方に行われることを特徴とする、請求項１〜２９のいずれか１項に記載の装置。
【手続補正１１】
【補正対象書類名】明細書
【補正対象項目名】請求項３２
【補正方法】変更
【補正の内容】
【請求項３２】  測定値が、フリース（１４）の曇りの検出に利用されることを特徴とする、請求項１〜３１のいずれか１項に記載の装置。
【手続補正１２】
【補正対象書類名】明細書
【補正対象項目名】請求項３３
【補正方法】変更
【補正の内容】
【請求項３３】  測定値が、繊維の平行の度合い検出に利用されることを特徴とする、請求項１〜３２のいずれか１項に記載の装置。
【手続補正１３】
【補正対象書類名】明細書
【補正対象項目名】請求項３４
【補正方法】変更
【補正の内容】
【請求項３４】  閉じた制御回路によって、給送ローラ（８、９）のテンションドラフトが、全自動と半自動との少なくとも一方で最適化されることを特徴とする、請求項１〜３３のいずれか１項に記載の装置。
【手続補正１４】
【補正対象書類名】明細書
【補正対象項目名】請求項３５
【補正方法】変更
【補正の内容】
【請求項３５】  測定値が、フックの数および／またはフックの大きさの検出に利用されることを特徴とする、請求項１〜３４のいずれか１項に記載の装置。
【手続補正１５】
【補正対象書類名】明細書
【補正対象項目名】請求項３６
【補正方法】変更
【補正の内容】
【請求項３６】  測定値が、繊維材料の構造の検出に利用されることを特徴とする、請求項１〜３５のいずれか１項に記載の装置。
【手続補正１６】
【補正対象書類名】明細書
【補正対象項目名】請求項３７
【補正方法】変更
【補正の内容】
【請求項３７】  測定値が、ダスト発生の検出に利用されることを特徴とする、請求項１〜３６のいずれか１項に記載の装置。
【手続補正１７】
【補正対象書類名】明細書
【補正対象項目名】請求項３９
【補正方法】変更
【補正の内容】
【請求項３９】  縁部繊維の案内が、ドラフト工程で分析可能であることを特徴とする、請求項１〜３８のいずれか１項に記載の装置。
【手続補正１８】
【補正対象書類名】明細書
【補正対象項目名】請求項４０
【補正方法】変更
【補正の内容】
【請求項４０】  測定値が、作動幅（ａ）にわたるしわの検出に利用されることを特徴とする、請求項１〜３９のいずれか１項に記載の装置。
【手続補正１９】
【補正対象書類名】明細書
【補正対象項目名】請求項４１
【補正方法】変更
【補正の内容】
【請求項４１】  フリース幅全体の分析が、ドラフト装置（１）の出口と給送ローラ（８、９）との間の領域のテンションドラフトを評価するために利用されることを特徴とする、請求項１〜４０のいずれか１項に記載の装置。
【手続補正２０】
【補正対象書類名】明細書
【補正対象項目名】請求項４２
【補正方法】変更
【補正の内容】
【請求項４２】  測定値が、スライバ（１４”）および／または繊維の配向の検出に利用されることを特徴とする、請求項１〜４１のいずれか１項に記載の装置。
【手続補正２１】
【補正対象書類名】明細書
【補正対象項目名】請求項４３
【補正方法】変更
【補正の内容】
【請求項４３】  評価された測定結果が、電子制御装置および調整装置（３８）に記憶される（４７）ことを特徴とする、請求項１〜４２のいずれか１項に記載の装置。
【手続補正２２】
【補正対象書類名】明細書
【補正対象項目名】請求項４５
【補正方法】変更
【補正の内容】
【請求項４５】  単位面積当たりの繊維材料の圧縮および希薄の分布が算出されることを特徴とする、請求項１〜４４のいずれか１項に記載の装置。
【手続補正２３】
【補正対象書類名】明細書
【補正対象項目名】請求項４６
【補正方法】変更
【補正の内容】
【請求項４６】  前記繊維材料の圧縮および希薄の分布が、フリース（１４）について記憶された比較値と比較されることを特徴とする、請求項１〜４５のいずれか１項に記載の装置。
【手続補正２４】
【補正対象書類名】明細書
【補正対象項目名】請求項４７
【補正方法】変更
【補正の内容】
【請求項４７】  前記圧縮および希薄の分布が、等質のフリース（１４）と比較されることを特徴とする、請求項１〜４６のいずれか１項に記載の装置。
【手続補正２５】
【補正対象書類名】明細書
【補正対象項目名】請求項５０
【補正方法】変更
【補正の内容】
【請求項５０】  前記カメラ（１５）が、回転点を中心として回転または揺動可能であることを特徴とする、請求項１〜４９のいずれか１項に記載の装置。